(57)【特許請求の範囲】
【請求項１】
所定の操作範囲を有する操作部と、
前記操作部の操作位置に応じて照明負荷への供給電力を変化させることによって、前記照明負荷を調光範囲内の所望の調光レベルで点灯させる調光制御部と、
前記調光範囲の下限において前記照明負荷に供給される供給電力を調整する調光下限設定部とを備え、
前記調光下限設定部が、前記調光範囲の下限において供給電力を増加させる第１操作部と、前記調光範囲の下限において供給電力を低下させる第２操作部とを有し、
前記調光範囲は、最小レベルと最大レベルとの間であり、
前記調光範囲の上限である前記最大レベルにおいて前記照明負荷に供給される供給電力は予め設定されており、
前記調光範囲の下限である前記最小レベルにおいて前記照明負荷に供給される供給電力は、前記調光下限設定部によって調整され、
前記操作部の前記操作範囲が、前記調光範囲に対応する
ことを特徴とする調光器。
【請求項２】
前記調光範囲の下限における供給電力が、所定の調整可能範囲の最大値に調整された状態で前記第１操作部が操作されるか、又は、前記調整可能範囲の最小値に調整された状態で前記第２操作部が操作されると、操作者に対して調整不能を報知する報知部が設けられたことを特徴とする請求項１記載の調光器。
【請求項３】
前記照明負荷が消灯している状態で発光する位置表示用の発光部を備え、前記発光部で前記報知部が兼用されたことを特徴とする請求項２記載の調光器。
【請求項４】
前記調光制御部を収納する調光器本体を備え、
前記調光器本体の表面に設けられた凹部に前記調光下限設定部が配置され、
前記調光器本体に着脱自在に取り付けられて前記調光下限設定部を覆うカバーが設けられたことを特徴とする請求項１乃至３の何れか１項に記載の調光器。
【発明の詳細な説明】
【技術分野】
【０００１】
本発明は、調光器に関するものである。
【背景技術】
【０００２】
従来、調光信号に応じて放電灯に供給する電力を制御することによって、放電灯を調光点灯させる放電灯点灯装置があった（例えば特許文献１参照）。
【先行技術文献】
【特許文献】
【０００３】
【特許文献１】特開２００７−１４９４０８号公報
【発明の概要】
【発明が解決しようとする課題】
【０００４】
近年、高輝度で低消費電力の発光ダイオードが照明用途に使用されつつあり、従来の白熱電球と同じ口金を有するＬＥＤ電球も提供されている。このようなＬＥＤ電球が、位相制御方式でランプを調光する機能を備えた調光器と組み合わせて使用される場合、ＬＥＤ電球は、電球毎に最低点灯電圧のバラツキが大きいため、ＬＥＤ電球を交換した際に調光下限でＬＥＤ電球が点灯しない可能性があり、調光下限値を調整する必要があった。
【０００５】
本発明は上記課題に鑑みて為されたものであり、その目的とするところは、調光範囲の下限において照明負荷に供給される供給電力の調整が容易に行える調光器を提供することにある。
【課題を解決するための手段】
【０００６】
本願の調光器は、所定の操作範囲を有する操作部と、前記操作部の操作位置に応じて照明負荷への供給電力を変化させることによって、前記照明負荷を調光範囲内の所望の調光レベルで点灯させる調光制御部と、前記調光範囲の下限において前記照明負荷に供給される供給電力を調整する調光下限設定部とを備え、前記調光下限設定部が、前記調光範囲の下限において供給電力を増加させる第１操作部と、前記調光範囲の下限において供給電力を低下させる第２操作部とを有し、前記調光範囲は、最小レベルと最大レベルとの間であり、前記調光範囲の上限である前記最大レベルにおいて前記照明負荷に供給される供給電力は予め設定されており、前記調光範囲の下限である前記最小レベルにおいて前記照明負荷に供給される供給電力は、前記調光下限設定部によって調整され、前記操作部の前記操作範囲が、前記調光範囲に対応することを特徴とする。
【０００７】
この調光器において、前記調光範囲の下限における供給電力が、所定の調整可能範囲の最大値に調整された状態で前記第１操作部が操作されるか、又は、前記調整可能範囲の最小値に調整された状態で前記第２操作部が操作されると、操作者に対して調整不能を報知する報知部が設けられることも好ましい。
【０００８】
この調光器において、前記照明負荷が消灯している状態で発光する位置表示用の発光部を備え、前記発光部で前記報知部が兼用されることも好ましい。
【０００９】
この調光器において、前記調光制御部を収納する調光器本体を備え、前記調光器本体の表面に設けられた凹部に前記調光下限設定部が配置され、前記調光器本体に着脱自在に取り付けられて前記調光下限設定部を覆うカバーが設けられることも好ましい。
【発明の効果】
【００１０】
本発明によれば、第１操作部及び第２操作部を用いて調光範囲の下限における供給電力を調整することができる。したがって、照明負荷に合わせて調光範囲の下限における供給電力を調整できるから、調光範囲の下限においても照明負荷を確実に点灯させることができる。
【図面の簡単な説明】
【００１１】
【図１】本実施形態の調光器を示し、（ａ）は化粧プレートが外された状態の外観斜視図、（ｂ）は化粧プレート及びカバーが外された状態の外観斜視図である。
【図２】同上の調光器を示し、（ａ）は正面図、（ｂ）は右側面図、（ｃ）は背面図、（ｄ）は下面図である。
【図３】同上の調光器を示し、（ａ）は分解斜視図、（ｂ）はカバーを裏側から見た斜視図である。
【図４】同上の調光器のブロック図である。
【図５】（ａ）は全波整流器の出力電圧Ｖ１の波形図、（ｂ）はゼロクロス検出部の出力信号Ｓ１の波形図、（ｃ）はスイッチング素子Ｑ１のオン／オフ状態を示す波形図、（ｄ）は照明負荷３に印加される電圧Ｖ２の波形図である。
【図６】同上の回転ハンドルの操作位置と調光レベルとの関係を示す説明図である。
【発明を実施するための形態】
【００１２】
本実施形態の調光器について図面を参照して説明する。
【００１３】
図４は調光器１の概略的なブロック図である。この調光器１は、外部回路が接続される接続端子Ｔ１，Ｔ２と、全波整流器ＤＢ１と、スイッチング素子Ｑ１と、調光制御部１１と、ゼロクロス検出部１２と、調光レベル設定部１３と、調光下限設定部１４と、発光部１５と、記憶部１６とを備えている。
【００１４】
接続端子Ｔ１，Ｔ２間には、外部回路として、商用交流電源２と、ＬＥＤ電球のような照明負荷３との直列回路が接続されている。また接続端子Ｔ１，Ｔ２には、全波整流器ＤＢ１の交流入力端子がそれぞれ接続されている。
【００１５】
全波整流器ＤＢ１は、接続端子Ｔ１，Ｔ２から入力される交流電圧を全波整流して直流に変換する。全波整流器ＤＢ１の直流出力端子間には、例えばサイリスタ（ＳＣＲ）からなるスイッチング素子Ｑ１が接続されている。
【００１６】
ゼロクロス検出部１２は、全波整流器ＤＢ１によって全波整流された後の電圧Ｖ１と、所定のしきい値Ｖth1との高低を比較することによって、交流電源電圧のゼロクロスを検出する。ゼロクロス検出部１２から出力される信号Ｓ１の信号レベルは、電圧Ｖ１がしきい値Ｖth1よりも低ければローレベル（Ｌ）になり、電圧Ｖ１がしきい値Ｖth1よりも高ければハイレベル（Ｈ）になる（図５（ａ）（ｂ）参照）。
【００１７】
調光レベル設定部１３は、照明負荷３の調光レベルを設定するために用いられる。調光レベル設定部１３は、例えば操作子の回転位置に応じて抵抗値が変化する電源スイッチ付きの回転ボリューム（図示せず）からなり、ユーザが操作子をオフ位置に移動させると、調光制御部１１がスイッチング素子Ｑ１をオフさせて、照明負荷３を消灯させる。また、ユーザが操作子をオフ位置から所望の回転位置まで移動させると、調光制御部１１は、回転ボリュームの抵抗値をもとに照明負荷３に供給する電力を制御し、回転位置に応じた調光レベルで照明負荷３を点灯させる。
【００１８】
調光下限設定部１４は、照明負荷３の調光範囲の下限において照明負荷３に供給される電力を設定するために用いられる。
【００１９】
調光制御部１１は、ゼロクロス検出部１２の出力Ｓ１がローレベルからハイレベルに反転した時点から、調光レベル設定部１３を用いて設定された調光レベルに対応した時間が経過すると、スイッチング素子Ｑ１をオン状態に切り替える。そして、調光制御部１１は、次のゼロクロスがくるまでスイッチング素子Ｑ１をオン状態で動作させる（図５（ｃ）参照）。これにより、図５（ｄ）に示すように照明負荷３に供給される電圧Ｖ２の位相角が調整され、照明負荷３への供給電力が調整されるので、設定に応じた調光レベルで照明負荷３が点灯させられる。ここで、導通位相角（交流電源の半周期においてスイッチング素子Ｑ１が導通している期間）が大きくなるほど、照明負荷３への供給電力が大きくなり、照明負荷３の光出力が明るくなる。
【００２０】
発光部１５は例えば発光ダイオードからなり、発光部１５の発光が調光器１の外部から視認可能な状態で配置されており、発光部１５の点灯状態（点灯、点滅、消灯）は調光制御部１１によって制御される。
【００２１】
記憶部１６は不揮発性のメモリからなり、調光下限設定部１４によって設定された、調光範囲の下限における供給電力を記憶する。
【００２２】
次に、この調光器１の構造を図１〜図３に基づいて説明する。尚、以下の説明では特に断りが無い限り、図２（ａ）に示す向きにおいて上下左右の方向を規定し、図２（ｂ）の左側を前側、右側を後側として説明を行うこととする。
【００２３】
この調光器１は、調光器本体２０と、調光器本体２０の前面を覆うようにして調光器本体２０に取り付けられるカバー４０とを主要な構成として備えている。
【００２４】
調光器本体２０は、合成樹脂により前面が開口した箱状に形成された後ボディ２１と、合成樹脂により後面が開口した前ボディ２２とを結合することによって略箱状に形成されている。前ボディ２２の上面及び下面の後端からは、後方に向かってそれぞれ突出する係止片２３が２個ずつ設けられている。後ボディ２１の上面及び下面には、各係止片２３の孔２３ａにそれぞれ対応する部位に突起２４が設けられている。而して、互いの開口部を塞ぐようにして後ボディ２１の前側に前ボディ２２を被せ、各係止片２３の孔２３ａに対応する突起２４を係止させることによって、後ボディ２１と前ボディ２２とが結合されるようになっている。
【００２５】
この調光器本体２０の内部には、図４に示した接続端子Ｔ１，Ｔ２、全波整流器ＤＢ１、スイッチング素子Ｑ１、調光制御部１１、ゼロクロス検出部１２、調光レベル設定部１３、調光下限設定部１４、発光部１５、記憶部１６などの回路部品が収納されている。
【００２６】
調光器本体２０は、埋込配線器具用に規格化された金属製の取付枠５０に取付可能であり、所謂２個モジュール寸法に形成されている。ここで、取付枠５０に３個まで並べて取付可能な埋込配線器具の大きさを１個モジュール寸法といい、１個モジュール寸法の埋込配線器具を上下方向に２個並べたのと略同じ大きさを２個モジュール寸法と言う。
【００２７】
調光器本体２０の前部を構成する前ボディ２２の上下両側面には、前側寄りの端縁の左右両側位置に凹溝２８がそれぞれ設けられている。また前ボディ２２の前面（つまり調光器本体２０の前面）には、調光器本体２０内に収納された回転ボリューム（図示せず）の操作子に連結された略円盤形の回転ハンドル２９（操作部）が、回転自在に取り付けられている。この回転ハンドル２９の前面には、設定位置の目印となる溝２９ａが設けられている。前ボディ２２の前面の右下隅には、他の部位よりも後側に凹んだ凹部３０が設けられている。この凹部３０にはそれぞれ押釦スイッチの押釦からなる第１操作部３１及び第２操作部３２が配置されている。さらに、前ボディ２２の前面には、調光器本体２０の内部に収納された発光部１５の発光を外部に透過させるランプカバー３３が、回転ハンドル２９の下側に配置されている。
【００２８】
調光器本体２０の後部を構成する後ボディ２１の後面には、調光器本体２０の内部に電線を挿入するための２個の電線挿通孔３４が開口するとともに、２個の電線挿通孔３４に隣接して工具差込孔３５が開口している（図２（ｃ）参照）。調光器本体２０の内部には、各電線挿通孔３４から挿入された電線が接続される速結形の端子装置（図示せず）が収納されており、これらの端子装置で上述の接続端子Ｔ１，Ｔ２が構成される。また、工具差込孔３５から挿入された工具（例えばマイナスドライバーなど）の先端で、速結形の端子装置を構成する鎖錠ばね（図示せず）を電線から離れる方向に押し撓めることによって、端子装置から電線を容易に取り外すことができる。尚、速結形の端子装置については従来周知であるから、その説明は省略する。
【００２９】
また調光器本体２０の前側（すなわち前ボディ２２の前側）にはカバー４０が着脱自在に取り付けられる。カバー４０は合成樹脂により矩形板状に形成されており、回転ハンドル２９を通すための丸穴４１が中央に開口し、丸穴４１の下側にはランプカバー３３を通すための長孔４２が開口している。カバー４０の裏面には、図３（ｂ）に示すように、前ボディ２２の上下両側面に対応する位置から後方に突出する係止片４３が設けられ、係止片４３の先端の爪４３ａを凹溝２８に係止させることによって、カバー４０が調光器本体２０に取り付けられる。尚、カバー４０の前面には、丸穴４１の周りに、回転ハンドル２９の回転範囲を示す表示が印字等の方法で形成されている。図１の例では、小さいドットＤ１が調光範囲の下限位置を、大きいドットＤ２が調光範囲の上限位置を示し、ドットＤ１，Ｄ２間を結ぶ弧状の線Ｌ１が回転ハンドル２９の可動範囲を示している。また電源スイッチのオフ位置を示す「ＯＦＦ」という文字が、小さいドットＤ１の右側に設けられている。
【００３０】
また、調光器本体２０の前部を構成する前ボディ２２の左右両側面には、取付枠５０の左右の側片５１に設けられた孔５３にそれぞれ係止する２個で１組の係止爪２５が上側寄りに設けられている。調光器本体２０は、係止爪２５を孔５３に係止させることによって取付枠５０に取り付けられる。調光器本体２０が取付枠５０に取り付けられた状態では、取付枠５０の中央の窓孔５０ａから調光器本体２０の前面の略全体が前方に突出している（図１（ａ）（ｂ）参照）。尚、前ボディ２２の左右両側面には、係止爪２５が設けられた部位の上側及び下側に、後端側が開放されたスリット２６が設けられており（図３参照）、一対のスリット２６で挟まれた突片２７が左右方向において撓み自在となっている。この突片２７の後端部に設けられた突起２７ａが押されて、突片２７が内側に撓められると、係止爪２５が孔５３の外側に出て、係止爪２５が孔５３から外れるので、調光器本体２０を取付枠５０から取り外すことができる。尚、取付枠５０の上下の枠片５２には、造営面に埋設された埋込ボックスにネジ止めするための固定ネジを挿通する長穴５５が設けられている。また上下の枠片５２には、パネル材からなる造営材（図示せず）を取付枠５０との間で挟み込むための挟み金具（図示せず）が引掛係止する引掛穴５６や、造営材に取付枠５０を直接ネジ固定するための固定ネジが挿通される丸穴５７が設けられている。取付枠５０は、上記した取付方法のうち、設置場所に合わせて選択された何れかの取付方法を用いて造営面に取り付けられる。
【００３１】
取付枠５０の前側には、図１及び図３に示すように、取付枠５０の窓孔５０ａよりも上下方向の長さが長く且つ幅広の窓孔６１を備えたプレート枠６０が取り付けられる。取付枠５０の上側及び下側の枠片５２にはねじ穴５４がそれぞれ設けられている。また、プレート枠６０の上側及び下側の枠片６２には、ねじ穴５４に対向する位置に貫通孔６３がそれぞれ設けられている。而して、プレート枠６０の貫通孔６３に通された固定ネジ（図示せず）がねじ穴５４にねじ込まれることによって、プレート枠６０が取付枠５０に固定される。
【００３２】
またプレート枠６０の前側には、取付枠５０や、プレート枠６０を固定する固定ネジの頭などを隠して外観の見栄えを向上させる化粧プレート７０が取り付けられる。化粧プレート７０は、プレート枠６０の窓孔６１に比べて若干小さめの窓孔７１を備え、裏面の爪（図示せず）をプレート枠６０の左右の枠片に設けられた係止孔６４に係止させることによって、プレート枠６０に取り付けられる。プレート枠６０に化粧プレート７０が取り付けられた状態では、化粧プレート７０の窓孔７１から調光器１の前面が露出している。
【００３３】
尚、取付枠５０に、２個モジュール寸法の調光器本体２０のみが取り付けられ、残りの１個分の取付位置が空いている場合、プレート枠６０の窓孔６１が完全に塞がれないため、この隙間を塞ぐブランクカバー８０がプレート枠６０に取り付けられている。
【００３４】
本実施形態の調光器１は以上のような構成を有しており、以下のようにして造営面に施工される。施工者は、取付枠５０の後側から調光器本体２０を取付枠５０に近付け、調光器本体２０の左右両側の係止爪２５を取付枠５０の孔５３に係止させることによって、調光器本体２０を取付枠５０に取り付ける。次に施工者は、造営面（図示せず）の裏側に配線された電線を、造営面に設けられた取付用孔（図示せず）から表側に引き出して、先端側の被覆を剥いた後、電線挿通孔３４に挿入して、端子装置に接続する。そして、施工者は、調光器１に接続された電線の余長分を取付用孔に押し込んだ後、調光器本体２０の後部を取付用孔に挿入した状態で取付枠５０を造営面に固定する。次に施工者は、前ボディ２２の凹溝２８に係止片４３の爪４３ａを係止させることによって、カバー４０を調光器本体２０の前側に取り付けた後、取付枠５０の前側にプレート枠６０及び化粧プレート７０を取り付けて、施工作業を完了する。
【００３５】
この施工完了状態では、調光器本体２０の前面がカバー４０で覆われているので、施工作業者は、第１操作部３１及び第２操作部３２を操作できないようになっている。一方、回転ハンドル２９及びランプカバー３３はそれぞれカバー４０の丸穴４１、長孔４２から露出しているので、カバー４０が接続されている状態でも回転ハンドル２９の操作が可能であり、またランプカバー３３を通して発光部１５の発光を視認できる。尚、プレート枠６０に化粧プレート７０が取り付けられた状態では、窓孔７１とカバー４０との間に指や工具を入れる隙間がなく、カバー４０の取り外しが行えないようになっている。
【００３６】
ここで、ユーザが回転ハンドル２９を左回りに回転させて、溝２９ａを「ＯＦＦ」の位置に合わせると、回転ボリュームの電源スイッチがオフになる。この時、調光制御部１１は、スイッチング素子Ｑ１を常時オフさせて、照明負荷３への電力供給を遮断し、照明負荷３を消灯させる。
【００３７】
一方、ユーザが回転ハンドル２９を右回りに回転させ、溝２９ａをドットＤ１，Ｄ２間の所定位置に合わせると、回転ボリュームの電源スイッチがオンになり、調光制御部１１は、回転ハンドル２９の回転位置に応じた調光レベルで照明負荷３を調光点灯させる。例えば調光制御部１１は、回転ボリュームと固定抵抗器とで構成される直列回路に定電圧を印加し、回転ボリュームの両端電圧を検出することによって、回転ボリュームの抵抗値を検出する。そして、調光制御部１１は、ゼロクロス検出部１２の出力信号Ｓ１がローレベルからハイレベルに反転した時点から、回転ハンドル２９の回転位置（つまり回転ボリュームの抵抗値）に応じた時間が経過した時点で、スイッチング素子Ｑ１を導通させる。その後、調光制御部１１は、交流電源のゼロクロスがくるまでスイッチング素子Ｑ１をオンさせ続け、スイッチング素子Ｑ１の導通位相角が回転ハンドル２９の回転位置に応じて決定されて、照明負荷３が調光される。
【００３８】
図６は、回転ハンドル２９によって操作される回転ボリュームの抵抗値Ｘと調光レベルＹとの関係を示す図である。抵抗値Ｘが最小値Ｘ０のときに調光レベルＹが最小レベルａになり、抵抗値Ｘが最大値Ｘ１のときに調光レベルＹが最大レベルＹmaxになるとすると、抵抗値Ｘと調光レベルＹとの関係は以下の式（１）で表される。尚、調光レベルＹが最大レベルＹmaxの時の照明負荷３への供給電力は予め設定されており、調光レベルＹが最小レベルａの時の照明負荷３への供給電力は、ユーザによって調光下限設定部１４を用いて設定され、その設定値は記憶部１６に記憶されている。
【００３９】
【数１】
0005870291.tif 000002
【００４０】
したがって、ユーザが回転ハンドル２９を回転させて、回転ボリュームの抵抗値を変化させると、調光制御部１１が、調光レベル設定部１３からの入力（すなわち回転ボリュームの抵抗値）をもとに、スイッチング素子Ｑ１を導通させる位相角を決定する。そして、調光制御部１１は、ゼロクロス検出部１２がゼロクロスを検出した時点（すなわち、出力信号Ｓ１がローからハイに立ち上がった時点）から、回転ボリュームの抵抗値によって決定された時間が経過した時点でスイッチング素子Ｑ１を導通させる。スイッチング素子Ｑ１は、調光制御部１１によってオフからオンに切り替えられると、次のゼロクロスがくるまで導通し続ける。以上の動作を商用交流電源２の半周期毎に繰り返すことで、照明負荷３には調光制御部１１によって導通位相角が決定された交流電圧Ｖ２が供給され、回転ハンドル２９の回転位置に応じた調光レベルで照明負荷３が調光点灯させられる。
【００４１】
ここで、照明負荷３の調光範囲は最小レベルａと最大レベルＹmaxの間となるが、本実施形態では調光下限設定部１４を用いて調光範囲の下限（すなわち最小レベルａ）において照明負荷３に供給される供給電力を調整することができる。調光下限設定部１４は第１操作部３１及び第２操作部３２を備えており、ユーザが第１操作部３１及び第２操作部３２を操作することによって、調光範囲の下限において照明負荷３に供給される供給電力が調整され、その調整値は記憶部１６に記憶される。なお、調光範囲の下限における供給電力を調整する場合、ユーザは、先ず、回転ハンドル２９の溝２９ａが下限位置であるドットＤ１の位置にくるように回転ハンドル２９を回転させ、照明負荷３を調光範囲の下限レベルで点灯させる。この状態で、ユーザは、図１（ａ）に示すように化粧プレート７０を外した後、図１（ｂ）に示すようにカバー４０を外して第１操作部３１及び第２操作部３２を露出させる。調光制御部１１は、第１操作部３１及び第２操作部３２の操作入力を監視しており、第１操作部３１が１回押されると、調光範囲の下限における供給電力が所定の変化分だけ増加するように、スイッチング素子Ｑ１の導通位相角（導通期間）を大きくする。また調光制御部１１は、第２操作部３２が１回押されると、調光範囲の下限における供給電力が所定の変化分だけ低下するように、スイッチング素子Ｑ１の導通位相角を小さくする。尚、第１操作部３１又は第２操作部３２が１回操作された時の供給電力の変化分は、調光レベルが０％の時の供給電力と調光レベルが２０％の時の供給電力との差分をＮ等分（例えば１００等分）した値に設定されている。
【００４２】
このように、ユーザが第１操作部３１又は第２操作部３２を押操作すると、調光範囲の下限における照明負荷３への供給電力が増加又は低減され、それによって調光下限における照明負荷３の明るさが調整される。したがって、ユーザは、照明負荷３の点灯状態を見ながら、第１操作部３１又は第２操作部３２を押操作することによって、調光範囲の下限における調光レベルを容易に調整することができる。そして、調光レベルの調整が終了すると、ユーザは、カバー４０を調光器本体２０の前面に取り付けた後、化粧プレート７０をプレート枠６０の前側に取り付けて調整作業を終了する。
【００４３】
以上説明したように、本実施形態の調光器１は調光制御部１１と調光下限設定部１４とを備えている。調光制御部１１は、照明負荷３への供給電力を変化させることによって、照明負荷３を所定の調光範囲で調光点灯させる。調光下限設定部１４は、調光範囲の下限において照明負荷３に供給される供給電力を調整する。この調光下限設定部１４は、調光範囲の下限において供給電力を増加させる第１操作部３１と、調光範囲の下限において供給電力を低下させる第２操作部３２とを備えている。
【００４４】
これにより、第１操作部３１及び第２操作部３２を用いて調光範囲の下限における供給電力を調整することができる。したがって、照明負荷３に合わせて調光範囲の下限における供給電力を調整できるから、ＬＥＤ電球のように点灯開始電圧のばらつきが大きい場合でも、調光範囲の下限における供給電力を調整することによって、調光範囲の下限においてＬＥＤ電球を確実に点灯させることができる。
【００４５】
この調光器１において、調光範囲の下限における供給電力が、所定の調整可能範囲の最大値に調整された状態で第１操作部３１が操作されるか、又は、所定の調整可能範囲の最小値に調整された状態で第２操作部３２が操作されると、操作者に対して調整不能を報知する報知部が設けられることも好ましい。本実施形態では報知部が発光部１５からなり、調光制御部１１が発光部１５を点滅させることで、調整不可能な操作が行われたことを報知しており、調整不可能な操作が行われたことを操作者に対して知らしめることができる。尚、報知部は発光部１５に限定されるものではなく、報知部は、ブザーやスピーカのように音で報知を行うものでもよい。また報知部が、発光ダイオードのように光を出力するものと、ブザーやスピーカのように音を出力するものとを両方共に備え、光と音の両方で報知を行うものでもよい。
【００４６】
ここで、照明負荷３の消灯時に調光制御部１１が発光部１５を点灯させて位置表示を行うようにしてもよい。
【００４７】
これにより、位置表示用の発光部１５で報知部が兼用されるから、部品点数を削減できる。
【００４８】
また本実施形態では、調光器本体２０の表面に設けられた凹部３０に調光下限設定部１４（第１操作部３１及び第２操作部３２）が配置されている。そして、調光器本体２０に着脱自在に取り付けられるカバー４０で調光下限設定部１４が覆われている。
【００４９】
これにより、カバー４０で調光下限設定部１４を覆うことによって、調光下限設定部１４の誤操作が起こりにくくなる。また調光器本体２０の表面に設けられた凹部３０に調光下限設定部１４が配置されているので、調光下限設定部１４とカバー４０との干渉を避けつつ、調光器本体２０の表面からカバー４０の出代を小さくできる。
【００５０】
尚、本実施形態では調光レベル設定部１３を電源スイッチ付きの回転ボリュームで構成し、回転ハンドル２９の溝２９ａが「ＯＦＦ」の位置にくるように回転ハンドル２９を回転させることによって、照明負荷３を消灯させているが、商用交流電源２及び照明負荷３の直列回路と調光器１との間にスイッチを接続し、スイッチのオン／オフによって照明負荷３の点灯／消灯を切り替えるようにしてもよい。
【符号の説明】
【００５１】
１  調光器
３  照明負荷
１１  調光制御部
１４  調光下限設定部
２０  調光器本体
２９  回転ハンドル
３１  第１操作部
３２  第２操作部
４０  カバー
【図１】
0005870291.tif 000003
【図２】
0005870291.tif 000004
【図３】
0005870291.tif 000005
【図４】
0005870291.tif 000006
【図５】
0005870291.tif 000007
【図６】
0005870291.tif 000008